(57)【要約】  【課題】  自動製氷機の製氷皿と電動機構部を冷蔵庫に残ったままで製氷皿を取り外しできるものがあるが、電動機構部が取り外しできないため、製氷室を冷凍室に転用する場合に邪魔である。本発明は、製氷皿と電動機構部とを冷蔵庫外に取り外し可能とし、そして、自動製氷機が製氷皿を前にし電動機構をその後方にした配置を取るとき、製氷室の後方から吹き出す冷気を製氷皿に有効に供給するための技術を提供する。  【解決手段】  冷凍温度室において製氷皿を電動機構によって回動させることによりこの製氷皿内の氷を下方へ落下させる自動製氷機であって、電動機構が後部に配置されその前方位置に製氷皿が配置された本体部材が冷凍温度室の上部に着脱自在に取り付けられ、本体部材には、冷凍温度室の後部から吹き出す冷気を製氷皿へ供給する冷気供給通路を電動機構の側方を通って製氷皿の側方に向けて屈曲配置したこと。【選択図】  図８
2006105420.tif 000002
【特許請求の範囲】
【請求項１】
冷凍冷蔵庫内の冷凍温度室に配置した製氷皿を電動機構によって回動させることによりこの製氷皿内の氷を下方へ落下させる構成の自動製氷機であって、前記電動機構が後部に配置されその前方位置に前記製氷皿が配置された本体部材が前記冷凍温度室の上部に着脱自在に取り付けられ、前記本体部材には、前記冷凍温度室の後部から吹き出す冷気を前記製氷皿へ供給する冷気供給通路を前記電動機構の側方を通って前記製氷皿の側方に向けて屈曲配置したことを特徴とする自動製氷機。
【請求項２】
冷凍冷蔵庫内の冷凍温度室に配置した製氷皿を電動機構によって回動させることによりこの製氷皿内の氷を下方へ落下させる構成の自動製氷機であって、前記自動製氷機は本体部材が前記冷凍温度室に設けた左右レール部に前後方向にスライド自在に支持されて前記冷凍温度室外に引き出し可能であり、前記本体部材は、後部に前記電動機構を収納する電動機構収納部を備え前記電動機構収納部の前方位置に前記製氷皿を収納する製氷皿収納部を備え、前記本体部材の上壁には前記電動機構収納部の側方を通って前記製氷皿収納部の側面から前記製氷皿へ冷気を供給する冷気供給通路を形成したことを特徴とする自動製氷機。
【請求項３】
冷凍冷蔵庫内の冷凍温度室に配置した製氷皿を電動機構によって回動させることによりこの製氷皿内の氷を下方へ落下させる構成の自動製氷機であって、前記自動製氷機は本体部材が前記冷凍温度室に設けた左右レール部に前後方向にスライド自在に支持されて前記冷凍温度室外に引き出し可能であり、前記本体部材は、後部に前記電動機構を収納する電動機構収納部を備え前記電動機構収納部の前方位置に前記製氷皿を収納する製氷皿収納部を備え、前記本体部材には前記製氷皿収納部の側方に手動捻り可能な補助製氷皿を前後方向にスライド自在に収納する補助製氷皿収納部を設け、前記冷凍温度室の後部から吹き出す冷気を前記製氷皿へ供給する冷気供給通路を、前記電動機構収納部の側方を通って前記製氷皿収納部の側面に連通するように前記補助製氷皿収納部の上壁上に形成したことを特徴とする自動製氷機。
【請求項４】
冷凍冷蔵庫内の冷凍温度室に配置した製氷皿を電動機構によって回動させることによりこの製氷皿内の氷を下方へ落下させる構成の自動製氷機であって、前記自動製氷機は本体部材が前記冷凍温度室に設けた左右レール部に前後方向にスライド自在に支持されて前記冷凍温度室外に引き出し可能であり、前記本体部材は、後部に前記電動機構を収納する電動機構収納部を備え前記電動機構収納部の前方位置に前記製氷皿を収納する製氷皿収納部を備え、前記製氷皿は前記製氷皿収納部に引き出し可能で且つ引き出し状態で取り外し可能に支持され、前記本体部材の上壁には前記電動機構収納部の側方を通って前記製氷皿収納部の側面から前記製氷皿へ冷気を供給する冷気供給通路を形成したことを特徴とする自動製氷機。
【請求項５】
請求項１乃至４のいずれかに記載の自動製氷機を備えた冷凍冷蔵庫。
【発明の詳細な説明】
【技術分野】
【０００１】
本発明は、冷凍冷蔵庫に組み込まれる自動製氷機に関し、特に、冷凍冷蔵庫から取り外し自在に構成した自動製氷機及びこの自動製氷機を備えた冷凍冷蔵庫に関する。
【背景技術】
【０００２】
冷蔵庫用自動製氷機において、その製氷皿を着脱できる構成のものがある（例えば、特許文献１参照）。特許文献１のものは、製氷皿にサーミスタを取り付け、製氷皿の温度をサーミスタで検知して離氷工程に移るものであり、このような構成において、製氷皿の着脱に伴いサーミスタの着脱を容易にする技術に関する。
【特許文献１】特開２０００−８８４１０号公報
【発明の開示】
【発明が解決しようとする課題】
【０００３】
このように特許文献１の発明は、製氷皿の着脱とサーミスタの着脱を容易にする技術であるが、製氷皿の回転を行う電動機構部等は冷蔵庫に残ったままである。このため、製氷室を食品を貯蔵するための通常の冷凍室として利用する場合には、この残った部分が邪魔になって使用性が悪い。
【０００４】
本発明は、これらの点に鑑みて、製氷皿の回転を行う電動機構を製氷室へ残した状態で製氷皿を取り外し可能とすると共に、製氷皿と電動機構とを同時に冷蔵庫外に取り外し可能とし、自動製氷機の組み立てや修理、点検がし易く、製氷皿の清掃がし易い技術を提供する。そして、自動製氷機が製氷皿を前にし電動機構をその後方にした配置を取るとき、製氷室の後方から吹き出す冷気を製氷皿に有効に供給するための技術を提供する。
【課題を解決するための手段】
【０００５】
第１発明の自動製氷機は、冷凍冷蔵庫内の冷凍温度室に配置した製氷皿を電動機構によって回動させることによりこの製氷皿内の氷を下方へ落下させる構成の自動製氷機であって、前記電動機構が後部に配置されその前方位置に前記製氷皿が配置された本体部材が前記冷凍温度室の上部に着脱自在に取り付けられ、前記本体部材には、前記冷凍温度室の後部から吹き出す冷気を前記製氷皿へ供給する冷気供給通路を前記電動機構の側方を通って前記製氷皿の側方に向けて屈曲配置したことを特徴とする。
【０００６】
第２発明の自動製氷機は、冷凍冷蔵庫内の冷凍温度室に配置した製氷皿を電動機構によって回動させることによりこの製氷皿内の氷を下方へ落下させる構成の自動製氷機であって、前記自動製氷機は本体部材が前記冷凍温度室に設けた左右レール部に前後方向にスライド自在に支持されて前記冷凍温度室外に引き出し可能であり、前記本体部材は、後部に前記電動機構を収納する電動機構収納部を備え前記電動機構収納部の前方位置に前記製氷皿を収納する製氷皿収納部を備え、前記本体部材の上壁には前記電動機構収納部の側方を通って前記製氷皿収納部の側面から前記製氷皿へ冷気を供給する冷気供給通路を形成したことを特徴とする。
【０００７】
第３発明の自動製氷機は、冷凍冷蔵庫内の冷凍温度室に配置した製氷皿を電動機構によって回動させることによりこの製氷皿内の氷を下方へ落下させる構成の自動製氷機であって、前記自動製氷機は本体部材が前記冷凍温度室に設けた左右レール部に前後方向にスライド自在に支持されて前記冷凍温度室外に引き出し可能であり、前記本体部材は、後部に前記電動機構を収納する電動機構収納部を備え前記電動機構収納部の前方位置に前記製氷皿を収納する製氷皿収納部を備え、前記本体部材には前記製氷皿収納部の側方に手動捻り可能な補助製氷皿を前後方向にスライド自在に収納する補助製氷皿収納部を設け、前記冷凍温度室の後部から吹き出す冷気を前記製氷皿へ供給する冷気供給通路を、前記電動機構収納部の側方を通って前記製氷皿収納部の側面に連通するように前記補助製氷皿収納部の上壁上に形成したことを特徴とする。
【０００８】
第４発明の自動製氷機は、冷凍冷蔵庫内の冷凍温度室に配置した製氷皿を電動機構によって回動させることによりこの製氷皿内の氷を下方へ落下させる構成の自動製氷機であって、前記自動製氷機は本体部材が前記冷凍温度室に設けた左右レール部に前後方向にスライド自在に支持されて前記冷凍温度室外に引き出し可能であり、前記本体部材は、後部に前記電動機構を収納する電動機構収納部を備え前記電動機構収納部の前方位置に前記製氷皿を収納する製氷皿収納部を備え、前記製氷皿は前記製氷皿収納部に引き出し可能で且つ引き出し状態で取り外し可能に支持され、前記本体部材の上壁には前記電動機構収納部の側方を通って前記製氷皿収納部の側面から前記製氷皿へ冷気を供給する冷気供給通路を形成したことを特徴とする。
【０００９】
第５の発明は、第１発明乃至第４発明のいずれかの自動製氷機を備えた冷凍冷蔵庫である。
【発明の効果】
【００１０】
第１発明は、製氷皿とその回転を行う電動機構部とを冷凍温度室外に同時に取り外し可能であり、自動製氷機の組み立てや修理、点検がし易く、この冷凍温度室を製氷室として使用する場合と、通常の冷凍食品貯蔵室として利用できるように選択可能となる。また、自動製氷機の製氷皿への冷気供給は、電動機構の側方を通って製氷皿の側方に向けて屈曲した通路から形成されるため、製氷皿での製氷も良好となる。特に、電動機構部を製氷室に残して製氷皿を本体部材から取り外して洗浄できるようにするために、製氷皿が電動機構部の前方位置に配置される構成を採る場合において、製氷皿への冷気供給が好ましい形態となる。そして、本体部材に屈曲した冷気供給通路を形成するため、冷凍温度室側の冷気通路の構成が簡単になる。
【００１１】
第２発明は、第１発明の効果の他に、電動機構と製氷皿はそれぞれの収納部に収納される形態であるため、貯氷容器を引き出した状態で外力によって損傷を受けることから防止され、安全である。
【００１２】
第３の発明は、第１発明又は第２発明の効果の他に、補助製氷皿収納部を設けることによって、自動製氷とは別個に手動式製氷ができるため、氷需要の多い場合に適用でき便利であると共に、氷需要の少ない場合には、補助製氷皿のみによる製氷で対応できることとなり、選択性ができる。そして、補助製氷皿収納部では補助製氷皿を回転させる必要がないため、補助製氷皿収納部の高さは低くできることとなり、その分で自動製氷機の製氷皿への冷気供給通路を形成できることとなり、本体部材の高さを低く抑えることにも寄与する。
【００１３】
第４発明は、第１発明の効果の他に、電動機構と製氷皿はそれぞれの収納部に収納される形態であるため、貯氷容器を引き出した状態で外力によって損傷を受けることから防止され、安全である。また、製氷皿を取り外し可能として製氷皿の洗浄等を容易とするために、電動機構収納部の前方に製氷皿収納部を配置する構成とする。この場合、電動機構収納部の側方を通って側面から製氷皿へ冷気を供給する方式によって、製氷皿へ十分な冷気を供給することができる。
【００１４】
第５発明は上記のような効果を奏する自動製氷機を備えることによって、全面開口の冷凍冷蔵庫における利便性と使用性が向上した新規な冷凍冷蔵庫を提供できる。
【発明を実施するための最良の形態】
【００１５】
本発明は、冷凍冷蔵庫内の冷凍温度室に配置した製氷皿を電動機構によって回動させることによりこの製氷皿内の氷を下方へ落下させる構成の自動製氷機であって、前記電動機構が後部に配置されその前方位置に前記製氷皿が配置された本体部材が前記冷凍温度室の上部に着脱自在に取り付けられ、前記本体部材には、前記冷凍温度室の後部から吹き出す冷気を前記製氷皿へ供給する冷気供給通路を前記電動機構の側方を通って前記製氷皿の側方に向けて屈曲配置したものである。本発明の実施例を以下に記載する。
【実施例１】
【００１６】
次に、本発明の実施の形態について説明する。図１は本発明冷凍冷蔵庫の正面図、図２は本発明の冷凍冷蔵庫本体の自動製氷機を設置した製氷室と冷凍室部分の縦断側面図、図３は本発明冷凍冷蔵庫の自動製氷機部分の正面図、図４は本発明冷凍冷蔵庫の製氷室扉を開いた（引き出した）状態の自動製氷機部分の正面斜視図、図５は本発明冷凍冷蔵庫の製氷室扉を開いて（引き出して）自動製氷機全体を若干引き出した状態の正面斜視図、図６は本発明冷凍冷蔵庫の製氷室扉を開いて（引き出して）自動製氷機の製氷皿を引き出した状態の正面斜視図、図７は本発明冷凍冷蔵庫の製氷室扉を開いて（引き出して）自動製氷機の製氷皿を引き出し取り外した状態を説明する正面斜視図、図８は本発明の自動製氷機の分解斜視図、図９は本発明の自動製氷機の正面斜視図、図１０は本発明の自動製氷機の背面斜視図、図１１は製氷皿を引き出した状態の本発明の自動製氷機の正面斜視図、図１２は製氷皿を引き出し取り外した状態の本発明の自動製氷機の正面斜視図、図１３は本体部材の上壁の一部を切断した本発明の自動製氷機の正面斜視図、図１４は製氷皿が若干回動した状態を示す本発明の自動製氷機の正面斜視図、図１５は縦断面で示す本発明の自動製氷機の正面図、図１６は製氷皿が若干回動した状態を縦断面で示す本発明の自動製氷機の正面図、図１７は本発明の自動製氷機が製氷室へ取り付けられた状態の縦断側面図、図１８は本発明の自動製氷機を製氷室前方へ若干引き出した状態を示す縦断側面図、図１９は本発明の自動製氷機を図１８よりも更に製氷室前方へ若干引き出した状態を示す縦断側面図、図２０は製氷皿が収納状態にある本発明の自動製氷機の縦断側面図、図２１は製氷皿のロックを外した状態を示す本発明の自動製氷機の縦断側面図、図２２はロックを外して製氷皿を若干引き出した状態を示す本発明の自動製氷機の縦断側面図である。
【００１７】
実施例１に係る冷凍冷蔵庫１は、前面開口の冷凍冷蔵庫本体２内を区画して複数の貯蔵室を形成し、これら各貯蔵室の前面は扉で開閉できる構成である。冷凍冷蔵庫本体２は外箱（外壁板）２Ａと内箱（内壁板）２Ｂとの間に発泡断熱材２Ｃを充填した断熱構造である。冷凍冷蔵庫本体２内には、上から冷蔵室３、冷凍温度室５、野菜室４が区画されて設けられている。冷凍温度室５は、区画板（仕切り板）４１によって上部に冷凍温度に保たれる前面開口の製氷室６が、そして下部に冷凍温度に保たれる冷凍室５Ａが区画形成されている。製氷室６内には上部に自動製氷機７が取り付けられ、自動製氷機７の下方に貯氷容器８が配置されている。また製氷室６の側方には冷凍小室５Ｂが区画形成されている。
【００１８】
上部に位置する冷蔵室３とその下部に位置する冷凍温度室５（図では製氷室６と冷凍小室５Ｂ）の間は、断熱仕切り壁２８にて区画されている。断熱仕切り壁２８は、インジェクション成形の合成樹脂製上板２９とインジェクション成形の合成樹脂製下板３０との間に、ポリウレタン樹脂が発泡充填された断熱材３１又は予め所定形状に成形された発泡スチロール等の断熱材３１を備えた断熱構造をなしている。
【００１９】
製氷室６内には上部に自動製氷機７が取り付けられており、この自動製氷機７の直下には上面開口の貯氷容器８が配置されている。製氷室６の前面開口は、支持装置１８によって貯氷容器８と共に前後方向へ移動可能に支持された引き出し式扉１４にて開閉される。支持装置１８は、扉１４の裏側から後方へ水平状態に延びた左右の支持部材１９のレール１６が、製氷室６の左右壁に取り付けたローラ１７に載置される関係で構成され、貯氷容器８は、上方へ取り外し可能なるように貯氷容器８の左右両側が左右の支持部材１９に載置されている。この構成によって、自動製氷機７を製氷室６内に残した状態で、引き出し式扉１４の引き出し操作に伴って、貯氷容器８が製氷室６の前方へ引き出される。図２に示すように、貯氷容器８はその上面開口内に自動製氷機７が入り込んで、下方から自動製氷機７を包み込むような大きさを有し、引き出し式扉１４を引き出した状態で、支持部材１９から上方へ取り外し自在に支持されている。
【００２０】
冷蔵室３の前面開口は、冷凍冷蔵庫本体２の一側部にヒンジ装置２１Ａ、２１Ｂによって横方向に回動する回動式の冷蔵室扉１０にて開閉される。野菜室４の前面開口は、製氷室６と同様に、左右のレールとローラの組み合わせによる支持装置によって、野菜容器と共に前後方向へ移動可能に支持された引き出し式扉１１によって開閉される。冷凍室５Ａの前面開口は、製氷室６と同様に、冷凍室５Ａ内に設けた左右のレールとローラの組み合わせによる支持装置によって、容器１５と共に前後方向へ移動可能に支持された引き出し式扉１２にて開閉される。冷凍小室５Ｂの前面開口は、製氷室６と同様に、冷凍小室５Ｂに左右のレールとローラの組み合わせによる支持装置によって、上面開口の容器と共に前後方向へ移動可能に支持された引き出し式扉１３にて開閉される。
【００２１】
２０は冷凍冷蔵庫本体２の底部に設けた機械室に設置した冷媒の圧縮機であり、圧縮機２０で圧縮した冷媒は、凝縮器（図示せず）で凝縮され、キャピラリチューブなどの減圧部を通って蒸発器（冷却器）２４で蒸発した後、再び圧縮機２０へ帰還して圧縮される循環を行うものであり、これらによって冷凍サイクルが構成される。２５は蒸発器（冷却器）２４で冷却した冷気を冷凍温度室５を構成する冷凍室５Ａ、製氷室６及び冷凍小室５Ｂと、更にダクトを通って冷蔵室３と野菜室４へ循環する送風機である。なお、冷凍室５Ａ、製氷室６及び冷凍小室５Ｂは、蒸発器（冷却器）２４で冷却された冷気を送風機２５によって循環することにより冷却されるように構成し、一方、冷蔵室３と野菜室４は、前記冷凍サイクルに接続されたもう一つの蒸発器（冷却器）で冷却された冷気をもう一つの送風機によって循環することにより冷却されるように構成してもよい。
【００２２】
自動製氷機７は電動機構７Ａと電動機構７Ａによって回転駆動される製氷皿７Ｂを備えている。電動機構７Ａへの給電ラインの自動着脱を含めて電動機構７Ａと製氷皿７Ｂを一緒に冷凍冷蔵庫１外に引き出しにて取り外し可能なるように構成している。製氷皿７Ｂは捻り可能な材質で構成された前後方向に長い形態をなし、長手方向を列方向として４個２列、５個２列、又は６個２列のように複数の製氷セル７Ｂ１に区分されて８乃至１２個の角型氷が作られる合成樹脂製である。また貯氷容器８は、白色、透明、半透明又はその他の色の合成樹脂製であり、奥行きが左右幅に比して長い上面開口の箱状である。
【００２３】
９は自動製氷機７の製氷皿７Ｂへ供給する製氷用水を貯める給水容器（貯水容器ともいう）であり、横幅に比して奥行きが長い矩形状をなし、冷蔵室３内に区画された小室に配置されて冷蔵室３内の温度で冷却される。冷蔵室３の前面扉１０を開くことによって、給水容器９を冷凍冷蔵庫１の前方へ取り出して、その上面の蓋９Ａを開けて新たな水を注入することができる。製氷用水は給水容器９からポンプによって汲み上げられて自動製氷機７の製氷皿７Ｂへ供給される方式でもよいが、実施例では自然落下方式によって断熱仕切り壁２８を縦方向に貫通した給水路５１から自動製氷機７の製氷皿７Ｂへ供給される構成を示している。
【００２４】
給水路５１に周囲にはソレノイド５２が配置され、このソレノイド５２への通電によって給水路５１中に配置した作動棒が上昇して、給水容器９の底部に設けた開閉弁５３が押し上げられて給水容器９底部の給水孔５４が開き、給水路５１から製氷皿７Ｂへ製氷用水が供給される。そして、ソレノイド５２への非通電によって開閉弁５３がバネ力にて下降して給水容器９底部の給水孔５４を閉じる仕組みである。
【００２５】
自動製氷機７は電動機構７Ａと電動機構７Ａによって回転駆動される製氷皿７Ｂを本体部材１００に備えており、自動製氷機７の本体部材１００は各部部材を組み合わせた架構を構成するため、ハウジング部材１００と称することとする。ハウジング部材１００には、電動機構７Ａとその前方に製氷皿７Ｂを配置している。ハウジング部材１００の後部には、冷凍冷蔵庫本体２側に設けたコネクタ１２１に着脱自在に接続されるコネクタ１２０を備えた構成であり、ハウジング部材１００の左右両側部分１００Ａが製氷室６内の左右両側部分に設けた支持部分２００に載置されており、ハウジング部材１００は支持部分２００をレールとして製氷室６の前方へ引き出し自在であると共に製氷室６内へ収納自在である。このような構成によって、電動機構７Ａと製氷皿７Ｂを含めた自動製氷機７は、冷凍冷蔵庫１の前方へ引き出しにて取り外し可能であり、また冷凍冷蔵庫１内へ収納可能である。
【００２６】
これに関する具体的な構成を以下に記載する。製氷室６と冷凍小室５Ｂの天井壁を構成する断熱仕切り壁２８の合成樹脂製下板３０の左右中間部には、製氷室６と冷凍小室５Ｂとの間の区画板４０が取り付けられ、製氷室６の天井壁部分に近い左右両側部には、前後方向にレール機能を果たすように支持部分２００が形成されている。支持部分２００は、下板３０と一体成形にて形成しているが、製氷室６の左右壁と一体または別個に、前後方向へ延びたレール形態によって支持部分２００を形成する構造でもよい。この支持部分２００にハウジング部材１００の左右のフランジ部分１００Ａが前後方向に引き出し自在に載置される構成である。このため、左右の支持部分２００は、左右のレール部２００と称することができる。
【００２７】
本発明は、少なくとも自動製氷機７と貯氷容器８が製氷室６内に設置された構成であればよいが、便利さのために、実施例では自動製氷部１０１の側方に、手動捻り可能な合成樹脂製の補助製氷皿７Ｃを前方へ引き出し自在なるように収納する補助製氷部１０５を形成している。このため、ハウジング部材１００が製氷室６内に設置されたとき、自動製氷部１０１と補助製氷部１０５が、製氷皿７Ｂから落下する氷が飛び出ないように、貯氷容器８の左右側壁と前壁で囲まれ、貯氷容器８内に入り込んだ状態である。貯氷容器８の後壁は、貯氷容器８の収納時と引き出し時にハウジング部材１００と衝突しないように低く形成されている。
【００２８】
ハウジング部材１００には、前後及び左右の壁１０１Ａ、１０１Ｂ、１０１Ｃ、１０１Ｄと底壁１０１Ｅによって囲まれた自動製氷部１０１を形成している。そして、ハウジング部材１００は、自動製氷部１０１の側方に、手動捻り可能な合成樹脂製の補助製氷皿７Ｃを前方へ引き出し自在なるように収納する補助製氷部１０５を形成している。自動製氷部１０１と補助製氷部１０５とは、両者の区画壁である自動製氷部１０１の右壁１０１Ｄを境界として左右両側に隣接配置状態である。補助製氷部１０５は、前後及び左右の壁１０５Ａ、１０５Ｂ、１０５Ｃ（１０１Ｄと同じ）、１０５Ｄと底壁１０５Ｅによって囲まれ、補助製氷皿７Ｃが底壁１０５Ｅ上に前後スライド自在に載置されている。またハウジング部材１００の形態から、補助製氷部１０５の右側壁１０５Ｄと右底壁１０５Ｅは、一体化した部材Ｑを組み合わせる構造である。
【００２９】
自動製氷部１０１の前部分は製氷皿７Ｂの収納部１０２を形成し、自動製氷部１０１の後部分は電動機構７Ａの収納部１０３を形成している。ハウジング部材１００は、合成樹脂製であり、本体部材基体（以下、ハウジング本体という）１００Ｂとその上面を覆うカバー１０６とで構成している。カバー１０６は、自動製氷部１０１と補助製氷部１０５を覆うように、ハウジング本体１００Ｂに固定部１０６Ｂにおいてネジにて取り付けられており、ハウジング部材１００の上壁を形成する。このため、製氷皿７Ｂの収納部１０２は、このカバー１０６と前壁１０１Ａ、左右の壁１０１Ｃ、１０１Ｄと底壁１０１Ｅによって囲まれた領域である。また、電動機構７Ａの収納部１０３は、このカバー１０６と後壁１０１Ｂ、左右の壁１０１Ｃ、１０１Ｄと底壁１０１Ｅによって囲まれた領域である。また、補助製氷部１０５は、このカバー１０６と前壁１０５Ａ、左右の壁１０５Ｃ、１０５Ｄと底壁１０５Ｅによって囲まれた領域である。製氷皿７Ｂの底面からの冷却を良好にするために、収納部１０２の底壁１０１Ｅには中空部Ｒが形成され、また、補助製氷皿７Ｃの底面からの冷却を良好にするために、補助製氷部１０５の底壁１０５Ｅには中空部Ｓが形成されている。
【００３０】
製氷皿７Ｂの収納部１０２には、製氷皿７Ｂを支持する枠状の製氷皿支持体１０４が底壁１０１Ｅ上に前後方向へスライド自在に載置されている。電動機構７Ａは、電動機と電動機によって回転する複数の歯車の組み合わせである減速機構とがケースに収納されたものであり、そのケースの前面に減速する駆動軸１１０が水平方向へ突出している。電動機構７Ａは、そのケースの前上部に形成した左右の係止爪７Ａ１が、カバー１０６の係止部１０６Ｂに係止した状態で収納部１０３に保持されている。
【００３１】
製氷皿７Ｂの前部には水平方向軸部７０が形成されており、製氷皿支持体１０４の前部には、製氷皿７Ｂの軸部７０を回転自在に支持する軸受け部７１を形成している。軸受け部７１は上方へ開いており、製氷皿７Ｂの軸部７０は軸受け部７１へ上下方向に取り出しと載置が自在である。また、製氷皿７Ｂの後部には従動軸部７２が形成されている。電動機構７Ａの駆動軸１１０と製氷皿７Ｂの従動軸部７２は、駆動軸１１０の非円形部が従動軸部７２に前後方向へ着脱自在に嵌るように、前後方向に着脱自在な非円形結合の動力伝達部８０を構成している。
【００３２】
製氷皿支持体１０４の後部には、製氷皿７Ｂの後部に設けた従動軸部７２が貫通状態で支持される円形孔の支持部７３を形成している。製氷皿７Ｂ後部の従動軸部７２は、製氷皿７Ｂと同時成形したものでもよいが、実施形態では、製氷皿７Ｂ後部の突出軸７４に対して、前方軸７７が嵌め合わされた従動軸部材７５によって形成されている。従動軸部材７５は、上下の弾性爪７６が突出軸７４に係合して取り付けられている。従動軸部７２は支持部７３に対して緩く嵌り合う関係であるため、製氷皿７Ｂの軸部７０を軸受け部７１から若干持ち上げた状態で、製氷皿７Ｂを前方へ引くことにより、電動機構７Ａの駆動軸１１０から製氷皿７Ｂの従動軸部７２が外れるため、製氷皿７Ｂを製氷皿支持体１０４から上方へ取り外すことができる。
【００３３】
また、製氷皿７Ｂが製氷皿支持体１０４に載置された状態で、製氷皿支持体１０４を前方へ引くことによって、駆動軸１１０から従動軸部７２が外れると共に、製氷皿７Ｂは前部の軸部７０が軸受け部７１に載置された状態で、後部の従動軸部７２が支持部７３に載置された状態となる。この状態で製氷皿７Ｂを略水平状態に保持され、製氷皿７Ｂの脱落防止が図られる。そして、製氷皿７Ｂを製氷皿支持体１０４から上方へ取り外すことができる。このように、製氷皿支持体１０４が引き出された状態で、製氷皿７Ｂを略水平状態に保持することができるため、製氷皿７Ｂを製氷皿支持体１０４に載せて正規位置へスライドにて収納する場合、従動軸部７２と駆動軸１１０との結合も円滑に行える。
【００３４】
本発明では、上記のように、製氷皿７Ｂは本体部材であるハウジング部材１００にスライド自在に支持した製氷皿支持体１０４に回動可能に軸支持され、ハウジング部材１００に電動機構７Ａを残した状態で製氷皿支持体１０４を製氷皿７Ｂと共に冷凍温度室６外に引き出し可能である。また、ハウジング部材１００に対して製氷皿支持体１０４を正規位置にロックし、手動にてこのロックが解除される構成のロック装置を設けている。
【００３５】
このロック装置の一つの形態として、製氷皿支持体１０４の前面部には、引き出し用取っ手７８が回動自在に取り付けられている。取っ手７８は、製氷皿支持体１０４の前面壁１０４Ａと間隔を保つように前面壁１０４Ａの前方に位置し、上部が軸７８Ａで回動自在に支持され、付与されたバネ（図示せず）力によって上部に突出形成した係止凸部７９が、カバー１０６に形成した係止部８１に係合状態である。この係合状態によって、製氷皿支持体１０４は、製氷皿７Ｂの収納部１０２の正規位置に収納された状態を保ち、電動機構７Ａの駆動軸１１０と製氷皿７Ｂの従動軸部７２が嵌り合って、動力伝達可能状態である。
【００３６】
製氷皿支持体１０４をハウジング部材１００から前方へ引き出す場合は、取っ手７８を前記バネ力に抗して手前（前方）へ引くことによって回動し、係止凸部７９が係止部８１から外れるため、製氷皿支持体１０４をハウジング部材１００から前方へ引き出すことができる。製氷皿７Ｂの上面全部が殆ど露出して、製氷皿支持体１０４から製氷皿７Ｂを取り外し可能な位置まで引き出された状態で、製氷皿支持体１０４をハウジング部材１００から脱落しないようにするために、ストッパ装置１１１が設けられている。このように、製氷皿７Ｂが殆ど全部引き出された状態で、製氷皿７Ｂを製氷皿支持体１０４から取り外すことができる。
【００３７】
このストッパ装置１１１は、製氷皿支持体１０４の引き出しによって製氷皿７Ｂが本体部材であるハウジング部材１００から取り外し可能位置まで引き出されたとき、製氷皿支持体１０４の下部に設けた弾性係止片１１２の係止突起１１３が、ハウジング部材１００の底前部に設けたストッパ部１１１に当接して、製氷皿支持体１０４の引き出しが停止する関係に構成されている。このストッパ装置１１１で停止した状態において、製氷皿支持体１０４から製氷皿７Ｂを上方へ取り出すことができる。また、このストッパ装置１１１で停止した状態から製氷皿支持体１０４を取り外す場合は、弾性係止片１１２を下方から手で押し上げてストッパ部１１４から係止突起１１３を外した状態で、製氷皿支持体１０４をハウジング部材１００の前方へ引き出すことにより達成される。
【００３８】
弾性係止片１１２は、合成樹脂製の製氷皿支持体１０４の底部と一体成形によって形成し、ストッパ部１１１は、合成樹脂製のハウジング部材１００の底壁と一体成形によって形成することにより、ストッパ装置１１１を目立たない場所に容易に形成できるものとなる。
【００３９】
本発明では、電動機構７Ａを製氷室６へ残した状態で、製氷皿７Ｂを製氷室６外へ取り出し可能であるため、製氷皿７Ｂを取り外して水洗いする場合も電気部品に水が掛かることがない構成である。この効果を発揮する構成として、製氷皿７Ｂを回転駆動するための電動機構７Ａが自動製氷部１０１の後部に収納されているため、蒸発器（冷却器）２４で冷却された冷気を製氷皿７Ｂの真後ろから製氷皿７Ｂへ導入することができない。このため、蒸発器（冷却器）２４で冷却された冷気を製氷室６の背面に形成した冷気通路９１から製氷皿７Ｂへ導入するために、冷気導入路９０が自動製氷機７を迂回するように、ハウジング部材１００に形成されている。この冷気導入路９０は、カバー１０６の補助製氷部１０５に対応する部分を下方へ窪ませ、冷気通路９１から供給される冷気が製氷皿７Ｂの側方から製氷皿収納部１０２へ流入するように、製氷皿支持体１０４の側壁（図では右側壁）の真上位置において、自動製氷部１０１の側方に連通するように冷気導入路９０を屈曲形成している。
【００４０】
蒸発器（冷却器）２４で冷却された冷気は、送風機２５によって冷気通路９１から冷気導入路９０へ流入すると共に、冷凍室５Ａの背面に形成した冷気通路９２から冷凍室５Ａへ流入する。冷気導入路９０へ流入した冷気は、分流壁９０Ａによって分流されて製氷皿収納部１０２の右側面から、製氷皿収納部１０２へ流入する。冷凍室５Ａへ流入した冷気は、冷凍室５Ａを冷却した後、吸い込み口９３から蒸発器（冷却器）２４の周囲へ帰還して、再び冷却されて上記の循環をする。ハウジング部材１００が製氷室６の所定位置へ収納された状態で、冷気導入路９０の前端の出口と冷気導入路９０の後端の入口とは、冷気漏れのないようにシール材を介して密着して連通するようになる。
【００４１】
製氷皿収納部１０２と補助製氷部１０５とは、製氷皿７Ｂ上の冷気が補助製氷皿７Ｃへ通過するよう冷気通路で連通している。即ち、カバー１０６の補助製氷部１０５に対応する部分を窪ませて形成した冷気導入路９０から製氷皿収納部１０２へ流入した冷気が、製氷皿７Ｂの周囲に流れて製氷皿７Ｂを冷却してその中の水を凍られる。この冷気の一部分が、製氷皿支持体１０４の右側壁に形成した通気孔８３と、この通気孔８３と重なる位置に明けられた製氷皿収納部１０２と補助製氷部１０５との区画壁である壁１０１Ｄ（１０５Ｃと同じ）に形成した通気孔８４を通って、補助製氷部１０５内の補助製氷皿７Ｃを冷却して、補助製氷皿７Ｃ内の水を凍結させ、中空部Ｓと右側壁１０５Ｄの通気孔８７から製氷室６へ流出する。また、製氷皿７Ｂの周囲に流れた冷気の他の部分は、そのまま中空部Ｒから下方の製氷室６へ流出する部分と、製氷皿支持体１０４の左側壁に形成した通気孔８５と、この通気孔８５と重なる位置に明けられた製氷皿収納部１０２の左側壁１０１Ｃに形成した通気孔８６を通って、製氷室６へ流出する部分とがある。製氷室６へ流出した冷気は、製氷室６の底板４７の周囲の隙間等から冷凍室５Ａへ流入して、吸い込み口９３から蒸発器（冷却器）２４の周囲へ帰還して、再び冷却されて上記の循環をする。
【００４２】
上記のように、自動製氷機７は、ハウジング部材１００が冷凍温度室である製氷室６に設けた左右レール部２００に前後方向にスライド自在に支持されている。このため、前面扉１４を引いて貯氷容器８を前方へ引き出した状態で、ハウジング部材１００の引き出しによって、自動製氷機７は製氷室６外に引き出し可能であり、収納もスライドにて可能である。自動製氷機７を製氷室６内の正規の位置へ収納し保持するために、ハウジング部材１００を正規位置に保持するためのロック装置９５が設けられている。ロック装置９５は、製氷室６の天井壁を構成する断熱仕切り壁２８の合成樹脂製下板３０に上方へ向けて窪んで形成した係止凹部９７と、ハウジング部材１００の前壁に回動自在に取り付けたロックレバー９６との組み合わせで構成されている。
【００４３】
ハウジング部材１００を正規位置に収納した状態で、ロックレバー９６の上端を係止凹部９７に係合させることによって、ハウジング部材１００を正規位置に保持することができる。また、ロックレバー９６を回動して係止凹部９７から外した状態で、ハウジング部材１００を製氷室６から前方へ引き出すことができる。
【００４４】
給水路５１から製氷皿７Ｂへ供給する製氷用水は、製氷皿７Ｂの製氷セル７Ｂ１の一つに供給して、そこから他の製氷セル７Ｂ１へオーバーフローによって順次供給されるようにしている。このため、カバー１０６には、製氷皿７Ｂの後部の一つの製氷セル７Ｂ１に対応した位置に給水用孔１０６Ａが形成され、この給水用孔１０６Ａに給水路５１の下端が対応している。ハウジング部材１００の前方への引き出しによって、給水路５１を形成するパイプの下端がカバー１０６に当らないように、カバー１０６には給水用孔１０６Ａから後方へ開口した溝１０６Ｄが形成されている。
【００４５】
上記のように、自動製氷機７は、製氷室６の上壁に近接して配置されるように、製氷室６の上壁３０に沿って配置したハウジング部材１００に取り付けられて、冷凍温度室である製氷室６に設けた左右レール部２００に前後方向にスライド自在に支持されている。このため、冷凍冷蔵庫本体２側の電装部や制御回路部と電動機構７Ａとを電気的に結ぶ電気ラインは、着脱自在のコネクタ機構になっている。この具体的な構成を以下に説明することとする。
【００４６】
ハウジング部材１００には自動製氷機７側コネクタ１２０が設けられ、冷凍冷蔵庫本体２側には、冷凍冷蔵庫本体２の電装部（図示せず）からリード線を通って電力が供給されるコネクタ１２１が設けられている。電動機構７Ａへ接続される自動製氷機７側コネクタ１２０は、ハウジング部材１００の後部、具体的にはハウジング本体１００Ｂに、後方へ突出して設けられている。冷凍冷蔵庫本体２側のコネクタ１２１は、製氷室６の上壁３０に近接して配置されるように、合成樹脂製下板３０に取り付けている。自動製氷機７を冷凍冷蔵庫１内へ収納すべく支持部分２００上へハウジング部材１００の左右部分１００Ａを載せて押し込むことによって、自動製氷機７が冷凍冷蔵庫１内の所定位置に達した状態でコネクタ１２０はコネクタ１２１に接続される。このハウジング部材１００の押し込みを容易にするために、ハウジング部材１００と支持部分２００との組み合わせには若干の融通性を持たせている関係上、コネクタ１２０とコネクタ１２１との結合にも若干の融通性を持たせることによって、コネクタ１２０とコネクタ１２１の結合がスムーズになる。
【００４７】
この具体的な構成として、コネクタ１２０の端子部は突出ピンで構成し、コネクタ１２１はこの突出ピンが差し込まれる孔の形態の端子部であるが、ハウジング部材１００の押し込みによってハウジング部材１００が若干上下左右にずれても、コネクタ１２０の突出ピンがコネクタ１２１の孔に入り易いように、コネクタ１２１の孔の入口が若干広がった形状である。更にコネクタ１２０は上下左右に若干動くことができるように、融通性を持たせた取り付け構造になっている。
【００４８】
自動製氷機７は、ハウジング部材１００が冷凍温度室である製氷室６に設けた左右レール部２００に前後方向にスライド自在に支持されているため、ハウジング部材１００を引き出して自動製氷機７を製氷室６から取り外せば、貯氷容器８を冷凍食品の貯蔵容器とすることができる。更に貯氷容器８も製氷室６から取り外すことによって、製氷室６を冷凍食品の貯蔵のための冷凍室として使用することができる。
【００４９】
ハウジング部材１００を引き出して自動製氷機７を製氷室６から取り外した状態で、コネクタ１２１の端子部が製氷室６に露出するため、コネクタ１２１の端子部に冷凍冷蔵庫１の使用者が触れる危険を防止するため、コネクタ１２１の端子部に他の物が嵌り込むことを防止するため、更にコネクタ１２１の端子部に水が付着することを防止するため等の目的で、コネクタ１２１の端子部をカバーするコネクタカバー１３０が設けられている。コネクタカバー１３０は、前面のカバー部分１３１が上下動するように、後端支持部１３２を合成樹脂製下板３０に取り付けている。このため、コネクタカバー１３０は、後端支持部１３２で支持した状態で、カバー部分１３１が上下動するように、弾力性を有した合成樹脂製で形成した構成と、コネクタカバー１３０を弾力性を期待しない合成樹脂製とし、支持部１３２で回動可能な軸支持構造になっている構成のいずれでもよい。万一コネクタ１２０とコネクタ１２１が凍結して、着脱ができなくなるのを防止するために、コネクタ１２１を加温する電気ヒータを設けることができる。
【００５０】
コネクタカバー１３０は、ハウジング部材１００を製氷室６から引き出した状態では、カバー部分１３１がコネクタ１２１の端子部をカバーするように下降している。この状態で、ハウジング部材１００を製氷室６内に収納すべく、ハウジング部材１００を左右レール部２００に沿って後方向にスライドさせることによって、カバー部分１３１が、ハウジング部材１００の後方へ突出した左右一対の作動部１３３の上面の傾斜面に沿って押し上げられ、コネクタ１２１の端子部が徐々に露出するようになる。更に、ハウジング部材１００が左右レール部２００に沿って後方向にスライドすることに伴って、コネクタ１２０がコネクタ１２１に差し込まれ、ハウジング部材１００が正規位置へ収納されたとき、両コネクタが正規の結合状態となる。
【００５１】
また、ハウジング部材１００を製氷室６から引き出す場合は、この引き出しに伴ってコネクタ１２０がコネクタ１２１から外れつつ、カバー部分１３１が作動片１３３の上面の傾斜面に沿って徐々に下降し、ハウジング部材１００の所定の引き出し位置で、コネクタ１２０がコネクタ１２１から外れ、カバー部分１３１がコネクタ１２１の端子部を前面からカバーする状態となる。
【００５２】
左右一対の作動片１３３は、コネクタ１２０の左右両側に近接配置されてコネクタ１２０を保護すると共に、左右一対の作動片１３３を左右両側と下側から覆うように、カバー部１３４がハウジング部材１００の後壁に設けられている。ハウジング部材１００を引き出した状態では、このカバー部１３４によって、コネクタ１２０と左右一対の作動片１３３が他物との衝突等から保護される。
【００５３】
自動製氷機７の製氷運転は、冷凍冷蔵庫１に設けた制御回路部によって制御される製氷工程と脱氷工程から構成される。冷蔵室３の所定位置にセットされた給水容器９内に十分な量の製氷用水が入っている状態で、製氷工程が開始されると、前記制御回路部によってソレノイド５２へ所定時間通電され、開閉弁５３が給水口５４を開き、製氷皿７Ｂへ一回の製氷に要する所定量の製氷用水が自然落下にて自動給水される。
【００５４】
この製氷皿７Ｂへの給水によって、製氷皿７Ｂ内の水が凍り、前記制御回路部のタイマ手段によって一定時間経過したとき、または氷の形成を製氷皿センサが製氷皿７Ｂの低下した温度を検知したとき、前記制御回路部によって脱氷工程が開始し、電動機構７Ａが始動して製氷皿７Ｂが図８で反時計方向へ回動して反転し、製氷皿７Ｂの前部に設けた突起７Ｂ２が製氷皿支持体１０４のストッパ部１０４Ｂに当接して製氷皿７Ｂに捻りが生じ、製氷皿７Ｂ内の氷を下方の貯氷容器８へ落下せしめる。この捻り後、図８で製氷皿７Ｂを時計方向に復帰回転させ、製氷皿７Ｂが水平状態に復帰する。この状態で、次の製氷工程が自動開始し、再び給水した後、上記の動作を行う。このような製氷運転サイクルを行うことにより、貯氷容器８内に氷が貯えられる。脱氷工程において製氷皿７Ｂは、図１４、図１６に示すように、製氷皿７Ｂが時計方向へ回動する方式とすることもできる。
【００５５】
貯氷容器８内の氷の量は、製氷工程ごとに電動機構７Ａによって下降する検氷レバー１４０によって検知される。検氷レバー１４０は製氷皿７Ｂの回動の邪魔にならないように製氷皿７Ｂの側方に配置され、中空部Ｒを通して貯氷容器８内に侵入して氷の量を検知する。貯氷容器８内の氷の量は規定の満杯になると、この検氷レバー１４０がその氷によって下降が制限されるため、この状態を電気的に検知して次回の製氷工程へ入る前の製氷皿７Ｂへの給水を中止する仕組みである。
【産業上の利用可能性】
【００５６】
本発明の自動製氷機は、上記実施形態に限定されず、また、冷凍冷蔵庫の冷蔵室、冷凍室、製氷室等の配置関係は、上記形態に限定されず、本発明の技術的範囲を逸脱しない限り種々の冷凍冷蔵庫の形態に適用できるものである。
【図面の簡単な説明】
【００５７】
【図１】本発明冷凍冷蔵庫の正面図である。（実施例１）
【図２】本発明の冷凍冷蔵庫本体の自動製氷機を設置した製氷室と冷凍室部分の縦断側面図である。（実施例１）
【図３】本発明冷凍冷蔵庫の自動製氷機部分の正面図である。（実施例１）
【図４】本発明冷凍冷蔵庫の製氷室扉を開いた（引き出した）状態の自動製氷機部分の正面斜視図である。（実施例１）
【図５】本発明冷凍冷蔵庫の製氷室扉を開いて（引き出して）自動製氷機全体を若干引き出した状態の正面斜視図である。（実施例１）
【図６】本発明冷凍冷蔵庫の製氷室扉を開いて（引き出して）自動製氷機の製氷皿を引き出した状態の正面斜視図である。（実施例１）
【図７】本発明冷凍冷蔵庫の製氷室扉を開いて（引き出して）自動製氷機の製氷皿を引き出し取り外した状態を説明する正面斜視図である。（実施例１）
【図８】本発明の自動製氷機の分解斜視図である。（実施例１）
【図９】本発明の自動製氷機の正面斜視図である。（実施例１）
【図１０】本発明の自動製氷機の背面斜視図である。（実施例１）
【図１１】製氷皿を引き出した状態の本発明の自動製氷機の正面斜視図である。（実施例１）
【図１２】製氷皿を引き出し取り外した状態の本発明の自動製氷機の正面斜視図である。（実施例１）
【図１３】本体部材の上壁の一部を切断した本発明の自動製氷機の正面斜視図である。（実施例１）
【図１４】製氷皿が若干回動した状態を示す本発明の自動製氷機の正面斜視図である。（実施例１）
【図１５】縦断面で示す本発明の自動製氷機の正面図である。（実施例１）
【図１６】製氷皿が若干回動した状態を縦断面で示す本発明の自動製氷機の正面図である。（実施例１）
【図１７】本発明の自動製氷機が製氷室へ取り付けられた状態の縦断側面図である。（実施例１）
【図１８】本発明の自動製氷機を製氷室前方へ若干引き出した状態を示す縦断側面図である。（実施例１）
【図１９】本発明の自動製氷機を図１８よりも更に製氷室前方へ若干引き出した状態を示す縦断側面図である。（実施例１）
【図２０】製氷皿が収納状態にある本発明の自動製氷機の縦断側面図である。（実施例１）
【図２１】製氷皿のロックを外した状態を示す本発明の自動製氷機の縦断側面図である。（実施例１）
【図２２】ロックを外して製氷皿を若干引き出した状態を示す本発明の自動製氷機の縦断側面図である。（実施例１）
【符号の説明】
【００５８】
１・・・冷凍冷蔵庫
２・・・冷凍冷蔵庫本体
３・・・冷蔵室
４・・・野菜室
５・・・冷凍室
５Ａ・・冷凍室
６・・・製氷室
７・・・自動製氷機
７Ａ・・電動機構
７Ｂ・・製氷皿
７Ｃ・・補助製氷皿
８・・・貯氷容器
９・・・給水容器
２４・・冷却器
２５・・送風機
２８・・冷蔵室と製氷室の断熱仕切り壁
２９・・断熱仕切り壁の上板
３０・・断熱仕切り壁の下板
３１・・断熱材
５１・・給水路
５２・・ソレノイド
５３・・開閉弁
５４・・給水口
７０・・製氷皿の軸部
７１・・軸受け部
７２・・・製氷皿の従動軸部
７３・・・製氷皿の後部の支持部
７８・・・取っ手
７８Ａ・・軸
７９・・・係止凸部
８０・・・動力伝達部
８１・・・係止部
９０・・・冷気導入路
９０Ａ・・分流壁
９１・・・冷気通路
９５・・・ロック装置
９６・・・ロックレバー
９７・・・係止凹部
１００・・本体部材（ハウジング部材）
１００Ａ・・本体部材（ハウジング部材）の左右部分
１００Ｂ・・本体部材基体（ハウジング本体）
１０１・・自動製氷部
１０２・・製氷皿の収納部
１０３・・電動機構の収納部
１０４・・製氷皿支持体
１０５・・補助製氷部
１０６・・カバー
１１０・・駆動軸
１１１・・ストッパ装置
１１２・・弾性係止片
１１４・・ストッパ部
１２０・・冷凍冷蔵庫本体側コネクタ
１２１・・自動製氷機側コネクタ
２００・・支持部分（レール部）
【図１】
2006105420.tif 000003
【図２】
2006105420.tif 000004
【図３】
2006105420.tif 000005
【図４】
2006105420.tif 000006
【図５】
2006105420.tif 000007
【図６】
2006105420.tif 000008
【図７】
2006105420.tif 000009
【図８】
2006105420.tif 000010
【図９】
2006105420.tif 000011
【図１０】
2006105420.tif 000012
【図１１】
2006105420.tif 000013
【図１２】
2006105420.tif 000014
【図１３】
2006105420.tif 000015
【図１４】
2006105420.tif 000016
【図１５】
2006105420.tif 000017
【図１６】
2006105420.tif 000018
【図１７】
2006105420.tif 000019
【図１８】
2006105420.tif 000020
【図１９】
2006105420.tif 000021
【図２０】
2006105420.tif 000022
【図２１】
2006105420.tif 000023
【図２２】
2006105420.tif 000024